(57)【要約】開示されているのは、限られた数のキーで可能な限り多くの文字を入力するための方法と装置である。【選択図】図３
2009532799.tif 000002
【特許請求の範囲】
【請求項１】
コンピュータキーボード上に設けられた文字を入力するための装置であって、
限られた数のキーを持つキー選択装置と、
テキストモードで、文字を、少なくとも限られた数のキーの一部に割り当て、選択されたキーの文字を出力し、さらに、キーボードモードで、コンピュータキーボードのキーを、少なくとも限られた数のキーの一部に割り当て、前記キー選択装置によって選択されたキーを処理するキー処理装置と、
を具備する、コンピュータキーボード上に設けられた文字を入力するための装置。
【請求項２】
前記キーボードモードで前記キー選択装置によって選択されたキーが入力されると、前記キー処理装置がコンピュータキーボードの他のキーを、少なくとも限られた数のキーの一部に再割り当てすることを特徴とする請求項１の装置。
【請求項３】
前記キーボードモードで前記キー処理装置がコンピュータキーボードの組み合わせキーを、少なくとも限られた数のキーの一部に割り当てることを特徴とする請求項２の装置。
【請求項４】
前記組み合わせキーが、少なくとも、「Shift（シフト）」キー、「Ctrl（コントロール）」キー、「Alt（オルト）」キー、及び「Window（ウィンドウ）」キーのいくつかからなることを特徴とする請求項３の装置。
【請求項５】
前記キーボードモードで前記組み合わせキーが割り当てられたままになっていることを特徴とする請求項４の装置。
【請求項６】
前記組み合わせキーが、選択されるとトグルされることを特徴とする請求項３の装置。
【請求項７】
前記キーボードモードで前記キー選択装置によって選択されたキーが入力されると、前記キー処理装置がコンピュータキーボードの機能キーＦ１〜Ｆ１２を限られた数のキーの１５のキーに割り当てることを特徴とする請求項２の装置。
【請求項８】
前記キーボードモードで前記キー選択装置によって選択されたカーソルキーが入力されると、前記キー処理装置がコンピュータキーボードの移動キーを、限られた数のキーの一部に割り当てることを特徴とする請求項２の装置。
【請求項９】
前記移動キーが、少なくとも、「←（左矢印）」キー、「→（右矢印）」キー、「↑」キー、「↓」キー、「Home（ホーム）」キー、「End（エンド）」キー、「Page-up（前ページ）」キー、及び「Page-down（次ページ）」キーのいくつかを含むことを特徴とする請求項８の装置。
【請求項１０】
前記キーボードモードで前記キー選択装置によって選択された文字割り当てキーが入力されると、前記キー処理装置が第１文字セット、第２文字セット、または第３文字セットに属するアルファベットを、限られた数のキーの一部に対して一対一の割り当てを行うことを特徴とする請求項２の装置。
【請求項１１】
前記キーボードモードで前記文字割り当てキーが再度入力されると、前記キー処理装置が別の文字セットを再割り当てすることを特徴とする請求項１０の装置。
【請求項１２】
前記キーボードモードで前記キー選択装置によって選択された文字割り当てキーが入力されると、前記キー処理装置が第１文字セット、第２文字セット、及び第３文字セットに属するアルファベットを、限られた数のキーの一部に対して一対一の割り当てを行うことを特徴とする請求項２の装置。
【請求項１３】
請求項２の装置であって、前記キーボードモードで前記キー選択装置によって選択された文字割り当てキーが入力されると、前記キー処理装置がコンピュータキーボードのアルファベットを限られた数のキーの中の３ｘ３キー配列の９キーに割り当てることを特徴とし、前記アルファベットが左手で入力されるアルファベットからなる第１グループと右手で入力されるアルファベットからなる第２グループとに分けられ、前記第１グループに属するアルファベットが前記３ｘ３配列の左列または中央列上に配設され、前記第２グループに属するアルファベットが右列または中央列上に配設されることを特徴とし、使用頻度に基づいて分けられ、第１文字セット、第２文字セット、及び第３文字セットに属するアルファベットが１つずつ割り当てられることを特徴とする請求項２の装置。
【請求項１４】
前記キーボードモードで前記「Shift（シフト）」キーがトグルされると、前記キー処理装置がアルファベットの小文字または大文字を割り当てることを特徴とする請求項１０〜１３の任意の一項に係る装置。
【請求項１５】
前記キーボードモードで前記キー選択装置によって選択された数字割り当てキーが入力されると、前記キー処理装置がコンピュータキーボードの数字/記号を持つキーを、限られた数のキーの一部に対して割り当てることを特徴とする請求項２の装置。
【請求項１６】
前記「Shift（シフト）」キーがトグルされると、前記キー処理装置が数字/記号を持つキーを有効にするので、前記数字/記号を交互に入力できるようになっていることを特徴とする請求項１５の装置。
【請求項１７】
前記キーボードモードで前記キー選択装置によって選択された残りのキーが入力されると、前記キー処理装置が、２つの記号を持つキーないしはコンピュータキーボードの残りのキーを、限られた数のキーの一部に対して割り当てることを特徴とする請求項１５の装置。
【請求項１８】
前記「Shift（シフト）」キーがトグルされると、前記キー処理装置が２つの記号を持つキーを有効にするので、前記２つの記号を交互に入力できるようになっていることを特徴とする請求項１７の装置。
【請求項１９】
前記残りのキーが少なくとも、「Esc（エスケープ）」キー、「Tab（タブ）」キー、「Enter（入力）」キー、「Print-screen（画面印刷）」キー、「Scroll-lock（スクロール-ロック）」キー、及び「Pause-break（一時停止）」キーのいくつかを含むことを特徴とする請求項１７の装置。
【請求項２０】
前記数字キーと前記残りのキーが同じキーであり、同じキーが入力されると、交互に割り当てられることを特徴とする請求項１７の装置。
【請求項２１】
前記キーボードモードで前記キー選択装置によって選択された電源キーが入力されると、前記キー処理装置が電源関連キーを限られた数のキーの一部に対して割り当てることを特徴とする請求項２の装置。
【請求項２２】
前記電源関連キーが少なくとも、「Reboot（リブート）」キー、「Log-off（ログオフ）」キー、「User-switch（ユーザー切り替え）」キー、「Shut-down（シャットダウン）」キー、「Standby（スタンバイ）」キー、及び「Hibernate（ハイバネート）」キーのいくつかを含むことを特徴とする請求項２１の装置。
【請求項２３】
前記キーボードモードで前記キー選択装置によって選択されたアプリケーションキーが入力されると、前記キー処理装置がアプリケーションキーを限られた数のキーの一部に対して割り当てることを特徴とする請求項２の装置。
【請求項２４】
前記選択装置によって選択されたモード切り替えキーが入力されると、前記キー処理装置が前記キーボードモードと前記テキストモード間を切り替えることを特徴とする請求項２の装置。
【請求項２５】
前記テキストモードで、前記キー処理装置がコンピュータキーボードのアルファベットを、少なくとも限られた数のキーの一部に割り当てることを特徴とする請求項２の装置であって、コンピュータキーボードのアルファベットが左手で入力されるアルファベットからなる第１グループと右手で入力されるアルファベットからなる第２グループとに分けられ、前記第１グループに属するアルファベットが前記３ｘ３配列の左列または中央列上に配設され、前記第２グループに属するアルファベットが右列または中央列上に配設されることを特徴とし、使用頻度に基づいて分けられ、第１文字セット、第２文字セット、及び第３文字セットに属するアルファベットが１つずつ割り当てられ、コンピュータキーボードの隣接キーに割り当てられたアルファベットが単一のキーまたは隣接キーに割り当てられることを特徴とする請求項２の装置。
【請求項２６】
前記キー選択装置がキーを含み、前記テキストモードで前記キーが入力されると、該キーが最後に入力されたキーとして認識されることを特徴とする請求項２の装置。
【請求項２７】
前記テキストモードで所定のキーが入力されると、前記キー処理装置がアルファベットモード、数字モード、及び記号モードを順次に前記キー選択装置に割り当てることを特徴とする請求項２の装置。
【請求項２８】
前記テキストモードで所定のキーが入力されると、前記キー処理装置がアルファベットモード、言語モード、数字モード、及び記号モードを順次に前記キー選択装置に割り当てることを特徴とする請求項２の装置。
【請求項２９】
コンピュータキーボード上に設けられた文字を入力するための方法であって、テキストモードで、文字を、少なくとも、キー選択装置の限られた数のキーの一部に割り当て、選択されたキーの文字を出力することと、キーボードモードで、コンピュータキーボードのキーを、少なくとも限られた数のキーの一部に割り当て、選択されたキーを処理することと、が含まれるコンピュータキーボード上に設けられた文字を入力するための方法。
【請求項３０】
前記キーボードモードで前記キー選択装置によって選択されたキーが入力されると、コンピュータキーボードの割り当てキーがコンピュータキーボードの他のキーを、少なくとも限られた数のキーの一部に再割り当てすることを含むことを特徴とする請求項２９の方法。
【請求項３１】
請求項２９または３０の方法をコンピュータ上で実行するプログラムを持つコンピュータに読み込み可能な媒体。
【発明の詳細な説明】
【技術分野】
【０００１】
本発明は、限られた数のキーで、可能な限り多くの文字を入力するための方法と装置に関するものである。
【背景技術】
【０００２】
先端半導体技術は、携帯電話やパーソナルデジタルアシスタント（ＰＤＡ）などのよりコンパクトで高性能な携帯端末をもたらしたが、それらの入力手段が、コンピュータキーボードと同数の入力キーを必要とする前記コンパクトな携帯端末の障害となっている。
【発明の開示】
【発明が解決しようとする課題】
【０００３】
かかる障害を回避するため、従来の携帯端末は可能な限りサイズの縮少されたコンピュータキーボードを有する。しかしながら、前記キーボードのサイズ縮小には限界がある。
【課題を解決するための手段】
【０００４】
本発明は、コンピュータキーボード上に設けられた全ての文字を限られた数のキーで入力するための方法と装置を提供する。
【０００５】
本発明の追加特徴を以下に説明するが、部分的には本明細書で明らかであろうし、本発明の実施を通じて分かることであろう。
【発明の効果】
【０００６】
本発明によれば、限られた数のキーを持つ一般的な携帯端末を用いてコンピュータキーボード上に設けられた文字を入力することが可能である。加えて、アプリケーションまたはユーザー定義の機能に割り当てられるキーを提供することも可能である。
【発明を実施するための最良の形態】
【０００７】
本発明はコンピュータキーボード上に設けられた文字を入力するための装置を開示するものであり、限られた数のキーを持つキー選択装置と、テキストモードで、文字を、少なくとも限られた数のキーの一部に割り当て、選択されたキーの文字を出力し、さらに、キーボードモードで、コンピュータキーボードのキーを、少なくとも限られた数のキーの一部に割り当て、前記キー選択装置によって選択されたキーを処理するキー処理装置と、を含む。
【０００８】
前記キーボードモードで前記キー選択装置によって選択されたキーが入力される際、前記キー処理装置はコンピュータキーボードの他のキーを、少なくとも限られた数のキーの一部に再割り当てすることも可能である。
【０００９】
また、本発明は、コンピュータキーボード上に設けられた文字を入力するための方法も開示するものであり、かかる方法には、テキストモードで、文字を、少なくとも、キー選択装置の限られた数のキーの一部に割り当て、選択されたキーの文字を出力することと、キーボードモードで、コンピュータキーボードのキーを、少なくとも限られた数のキーの一部に割り当て、選択されたキーを処理することと、が含まれる。
【００１０】
コンピュータキーボードのキーを割り当てるステップには、前記キーボードモードで前記キー選択装置によって選択されたキーが入力される際、コンピュータキーボードの他のキーを、少なくとも限られた数のキーの一部に再割り当てすることを含んでもよい。
【００１１】
当然のことながら、以上の一般説明と以下の詳細説明とは両方ともに例示的かつ注釈的なものであり、本発明のさらに詳細な説明の提供を意図するものである。
【００１２】
［実施形態］
以下、本発明を、本発明の例示的実施形態を示す添付図面を参照してより詳細に説明するが、本発明は、多くの異なる形態で例示することも可能であり、本明細書中で示した実施形態に限定されるものと解釈されるべきでなく、むしろ、これらの実施形態は、この開示を徹底するとともに、当業者に本発明の範囲を完全に伝達するためになされたものである。図面では、説明をより明確にするために、層／領域の寸法及び相対寸法が誇張されている場合もある。図面では、同様の数字が同様の要素を示す。
【００１３】
当然のことながら、要素または層が別の要素または層「上に」または「に接続された」と表現される場合、それは、要素または層が別の要素または層「の直接上にある」状態または「に直結している」状態を意味することもあり、「介在要素」または「介在層」が存在していることを意味する場合もあり得る。逆に、要素が別の要素または層「の直接上にある」または「に直結している」と表現される場合、介在する要素または層が存在しないことを意味する。
【００１４】
図１は、本発明の例示的実施形態に係るキーボード文字入力装置のブロック図である。
【００１５】
前記キーボード文字入力装置には、キー選択装置１００とキー処理装置２００とが含まれる。前記キー選択装置１００は限られた数のキーからなる。前記キー選択装置１００は好ましくはキー配列（６行ｘ３列）を持ち、３６のキーからなる。前記キー選択装置１００は表示部上に表示され、ユーザーが前記キーを選択できる。
【００１６】
図２は本発明の例示的実施形態に係るキーボード文字入力装置を図示するものである。
【００１７】
前記キーボード文字入力装置は物理的なキー入力装置を有する。図２には図示していないが、キー配列（６行ｘ３列）を持つ前記キー選択装置１００はその表示部上に表示される。また、前記キー入力装置はキー配列（６行ｘ３列）を持つ。ユーザーは前記キー入力装置を介して前記キー選択装置１００上でキーを選択する。
【００１８】
前記キー入力装置に加えて、前記キー選択装置１００が必要に応じて別に定義される可能性もあるキーを持つので、前記キー選択装置１００は前記表示部上に表示される。
【００１９】
たとえ前記キーボード文字入力装置がキー入力装置を持たないとしても、ユーザーは前記キー選択装置１００上で前記キーを選択することができる。例えば、タッチスクリーン、リモートコントロール、マウスまたはジョイスティックを用いて前記キーを選択することも可能である。
【００２０】
前記キー処理装置２００は、前記キー選択装置１００を介して選択されたキーを分析し、対応する処理を行う。例えば、前記キー処理装置２００は、テキストモードで選択されたキーに対応する文字を前記表示部上に表示するか、またはキーボードモードで選択されたキーに対応する「エクスプローラ」を前記表示部上に表示する。前記キー処理装置２００は前記選択されたキーを別に定義することも可能である。
【００２１】
図３は、本発明の別の例示的実施形態に係るキーボード文字入力方法のフローチャートである。
【００２２】
テキストモードでは、前記キー処理装置２００は、文字を、例えば前記テキストモードに応じて、少なくとも、前記キー選択装置１００の６行ｘ３列のキー配列（以下、６ｘ３と呼ぶ）のキーの一部に割り当てる（ステップＳ３００）。前記テキストモードでは、英語のアルファベットを当初に割り当てることも可能である。前記キー処理装置２００は前記キー選択１００装置によって選択されたキーを確認する（ステップＳ３１０）。前記キーがキーボードモードへの切り替えを示すと（ステップＳ３２０）、前記キー処理装置２００はコンピュータキーボードのキーを、前記キーボードモードに応じて、少なくとも、６ｘ３キーの一部に割り当てる（ステップＳ３５０）。前記選択されたキーが終了キーを示すと、前記処理は終了される（ステップＳ３３０）。前記テキストモードで前記選択されたキーが実行キーを示すと、例えば、文字の出力や文字モードの変更が行われる（ステップＳ３４０）。
【００２３】
前記ステップＳ３５０の後、前記キー処理装置２００は前記キー選択１００装置によって選択されたキーを確認する（ステップＳ３６０）。前記キーが前記テキストモードへの切り替えを示すと（ステップＳ３７０）、前記処理は前記ステップＳ３００に戻る。前記キーが終了キーを示すと、前記処理は終了される（ステップＳ３８０）。前記キーボードモードで前記選択されたキーが実行キーを示すと、例えば、指示の実行やキー割当の変更が行われる（ステップＳ３９０）。例えば、機能キーが入力されると、前記キー処理装置２００は前記機能キーを実行する。
【００２４】
図４は６ｘ３キーを装備するキー選択装置を図示するものである。
【００２５】
図４は、英語のアルファベットが少なくとも前記キーの一部に当初割り当てられるテキストモードにおける６ｘ３キー配列を示すものである。前記テキストモードにより、ユーザーは一般的な携帯端末が持つ文字を入力することができる。
【００２６】
例えば、図４に示すように、該携帯端末には３ｘ３英語のアルファベットがある。前記英語のアルファベットが割り当てられても割り当てられなくてもよいが、ユーザーが簡便かつ迅速に文字を入力できるように、図４に示すように前記英語のアルファベットを割り当てることが好ましい。
【００２７】
図４に示した英語のアルファベット配列は、前記ＱＷＥＲＴＹ配列と英語アルファベットの使用頻度とを考慮して設定されている。前記ＱＷＥＲＴＹ配列は、左手で入力される英語のアルファベッからなる第１グループと、右手で入力される英語のアルファベットからなる第２グループと、を有する。
【００２８】
つまり、前記第１グループは、「q」、「w」、「e」、「r」、「t」、「a」、「s」、「d」、「f」、「g」、「z」、「x」、「c」、「v」、及び「b」からなり、前記第２グループは、「y」、「u」、「i」、「o」、「p」、「h」、「j」、「k」、「l」、「n」、及び「m」からなる。前記第１グループは前記３ｘ３配列の左手または中心に載置され、前記第２グループは前記３ｘ３配列の右手または中心に載置される。
【００２９】
さらに、前記英語のアルファベットは、その使用頻度に応じて、第１文字セット、第２文字セット、及び第３文字セットに分けられ、前記ＱＷＥＲＴＹ配列における複数の英語アルファベット割り当て隣接キーは、同一キーまたは隣接キーに割り当てられる。
【００３０】
例えば、前記第１文字セットには、使用頻度が最も高い「a」、「e」、
「h」、「i」、「n」、「o」、「r」、「s」、及び「t」からなる英語のアルファベットが含まれ、前記第２文字セットには、「c」、「d」、「f」、「g」、「l」、「m」、「p」、「u」、及び「w」からなる英語のアルファベットが含まれ、前記第３文字セットには、「b」、「j」、「k」、「q」、「v」、「x」、「y」、及び「z」からなる英語のアルファベットが含まれる。
【００３１】
前記それぞれの文字セットは、配列を前記ＱＷＥＲＴＹ配列に類似させるため、実際の使用頻度と異なる使用頻度を有してもよい。例えば、たとえ「y」の使用頻度が「p」、「y」よりも多少高くても前記第３文字セットに属し、「p」は前記第２文字セットに属す。
【００３２】
前述の文字配列と入力方法は韓国出願（特許出願番号２００４-８２３２６）に記載されているので、本明細書中ではその詳細な説明を省略する
【００３３】
図４に示したキーの中でも、「Enter（入力）」キー、「Tab（タブ）」キー、「Backspace（バックスペース）」キー、及び「Space（スペース）」キーは公知であるので、本明細書中ではその詳細な説明を省略する。分離（[sep]）キーは、同一キーに割り当てられた文字の連続入力時に使用されるので、現入力文字をその次の入力文字と区別することができるようになっている。また、前記[sep]キーも公知であるので、本明細書中ではその詳細な説明を省略する。
【００３４】
ラスト（[last]）キーは最後の文字を繰り返して入力するために使用される。例えば、通常、文字「e」は、（[ewq]）キーを１回押し、所定時間後に前記[ewq]キーを再度押すかまたは前記[sep]キーを押すことによって、２回連続入力される。
【００３５】
かかる不便を回避するために、本発明の実施形態では、前記[last]キーを使用する。例えば、前記[ewq]キーが１回押され、次いで前記[last]キーが押されると、前記文字「e」は２回連続入力される。前記[ewq]キーが１回押され、次いで前記[last]キーが２回押されると、文字「ew」が入力される。つまり、前記[last]キーが押されると、そのラストキーは再度入力される。
【００３６】
モード[mode]キーは、前記テキストモードで、文字モードを変更するために使用される。例えば、前記[mode]キーが図４に示した小文字モードで入力されると、前記キー処理装置２００は図５に示すように前記キーのそれぞれの第１文字を大文字に変換する。これは文章モードと呼ばれ、前記第１文字が大文字として入力され、残りの文字が小文字として入力される。第１文字が大文字として入力された後、前記文字モードは好ましくは前記小文字モードに変更される。
【００３７】
例えば、文章が当初入力される際に前記[Ewq]キーが１回、２回、及び３回押されると、大文字「E」、「W」及び「Q」がそれぞれ入力される。好ましくは、文章モードで、第１大文字が入力される際、変換されたアルファベットを自動的に割り当てることも可能である。例えば、文章モードで第１文字として大文字を入力するため、所定の時間が経過する前に前記[Ewq]キーが連続して押されると、英語のアルファベットは自動的に変換され、[eWq]、[ewQ]及び[Ewq]の順序に割り当てられる。
【００３８】
図５で前記[mode]キーが入力されると、図６に示すように、前記キー処理装置２００は前記文字モードを大文字モードに変更し、大文字を前記キーに割り当てる。図６で前記[mode]キーが入力されると、図７に示すように、前記キー処理装置２００は前記文字モードを数字モードに変更する。
【００３９】
図７で前記[mode]キーが入力されると、図８に示すように、前記キー処理装置２００は韓国アルファベットであるハングル文字などの追加モードを割り当てる。図８で前記[mode]キーが入力されると、前記キー処理装置２００はモードを変更して図４に示した小文字モードに戻す。
【００４０】
図９は前記テキストモードにおける記号キーモードを図示するものである。
【００４１】
図４〜図８で[sym]キーが入力されると、図９に示すように、前記キー処理装置２００は、例えば、記号を割り当てる。つまり、前記[sym]キーにより、前記テキストモードにおける任意の文字モードで、ユーザーは記号を入力することができる。例えば、図９に示した記号キーモードで記号が入力されると、前記キー処理装置２００は、前記記号が出力され、次いで前記モードが前文字モードに戻るように処理を行う。
【００４２】
図８に示したハングル文字キーは、その使用頻度、連続キーボードシステムなどとの関係を考慮して割り当てられる。図９に示した記号キーは、好ましくは、数字、使用頻度などとの類似性を考慮して割り当てられる。図８と図９に示した前述のハングル文字配列と記号配列は、前述の韓国出願（特許出願番号２００４-８２３２６）に記載されているので、本明細書中ではその詳細な説明を省略する。
【００４３】
以下、キーボード文字を入力のための方法を説明する。
【００４４】
図１０は、テキストモードがキーボードモードに変更される際に割り当てられたキーを図示するものである。
【００４５】
図４〜図９に示したテキストモードで[keybd]キーが入力されると、前記キー処理装置２００は前記テキストモードをキーボードモードに変更し、コンピュータキーボードのキーを、少なくとも、前記キー選択装置１００のキーの一部に割り当てる。図１０に示すように、前記キー選択装置１００には、「Esc（エスケープ）」キー、「Ins（挿入）」キー、「Del（削除）」キー、「Backspace（バックスペース）」キー、「Combination（組み合わせ）」キーなどが含まれる。前記「Combination（組み合わせ）」キーの例には、「Shift（シフト）」キー、「Ctrl（コントロール）」キー、「Alt（オルト）」キー、及び「Window（ウィンドウ）」キーが含まれ、それらは他のキーとともに使用され、トグル動作される。
【００４６】
前記キー処理装置２００は、前記「Esc（エスケープ）」キー、「Ins（挿入）」キー、「Del（削除）」キー、「Backspace（バックスペース）」キー、及び「Combination（組み合わせ）」キーをコンピュータキーボードの処理方式と同じ方式で処理する。前記キー処理装置２００は、前記「Combination（組み合わせ）」キーが入力されると、前記「Combination（組み合わせ）」キー上に書き込まれた文字の色と陰影を変更するので、前記トグル動作状態を識別することができるようになっている。
【００４７】
図１１は図１０に関連するコンピュータキーボードを図示するものである。
【００４８】
図１０に示したキーは、図１１に示したコンピュータキーボード上で太線表示されているキーである。
【００４９】
図１２は前記キーボードの割り当てられた機能キーを図示するものである。
【００５０】
図１０で[fn]キーが入力されると、図１２に示すように、前記キー処理装置２００はコンピュータキーボードのＦ１〜Ｆ１２キーを割り当てる。前記キー処理装置２００は、別々に入力されるかまたは前記「Combination（組み合わせ）」キーとともに入力されるＦ１〜Ｆ１２キーを処理する。例えば、Ｆ１２キーがＭＳ-Ｗｏｒｄ（登録商標）プログラム上で入力されると、前記キー処理装置２００は、Ｆ１２キーがコンピュータキーボード上で入力されるときのように、「名前を付けて保存する」と名付けられたウィンドウをロードする。
【００５１】
図１３は図１２に関連するコンピュータキーボードを図示するものである。
【００５２】
図１２に示した機能キーは、図１３に示したコンピュータキーボード上で太線表示されているキーである。
【００５３】
図１４は前記キーボードの割り当てられた移動キーを図示するものである。
【００５４】
図１０に示したカーソル[cursor]キーが入力されると、図１４に示すように、前記キー処理装置２００は、「←（左矢印）」キー、「→（右矢印）」キー、「↑（上矢印）」キー、「↓（下矢印）」キー、「Home（ホーム）」キー、「End（エンド）」キー、「Page-up（前ページ）」キー、及び「Page-down（次ページ）」キーなどのカーソル移動キーをコンピュータキーボード上に割り当てる。前記キー処理装置２００は、前記移動キーが前記キーボード上で入力されるときのように、入力された[cursor]キーを処理する。
【００５５】
図１５は図１４に関連するコンピュータキーボードを図示するものである。
【００５６】
図１４に示した移動キーは、図１５に示したキーボード上で太線表示されているキーである。
【００５７】
図１６〜図２１は前記キーボードのアルファベット入力キーの割り当てを図示するものである。
【００５８】
図１０に示した[ewq]キーが入力されると、前記キー処理装置２００はコンピュータキーボードの一部の英語アルファベットを割り当てる。前記キー選択装置１００は限られた数のキーを持つので、２６の英語アルファベットを前記キーに対して一対一で割り当てることができない。従って、一部の英語のアルファベットが前記キーに対して一対一で割り当てられる。
【００５９】
例えば、図１０に示した[ewq]キーが入力されると、第１文字セット、第２文字セット、または第３文字セットに属するアルファベットは、前記キー処理装置２００によって前記キーに対して一対一で割り当てられる。前記[ewq]キーが再度入力されると、現文字セット以外の文字セットに属するアルファベットは、前記キー処理装置２００によって前記キーに対して一対一で割り当てられる。
【００６０】
好ましくは、前記[ewq]キーが入力されるたびに、第１文字セット、第２文字セット、及び第３文字セットに属するアルファベットは、この順序で前記キー処理装置２００によって順次に前記キーに対して一対一で割り当てられる。つまり、前記[ewq]キーが最初に入力されると、図１６に示すように、前記第１文字セットに属するアルファベットは、前記キー処理装置２００によって前記キーに対して一対一で割り当てられる。図１６で前記[ewq]キーが再度入力されると、図１７に示すように前記第２文字セットに属するアルファベットは前記キーに対して一対一で割り当てられる。加えて、図１７で前記[ewq]キーが再度入力されると、図１８に示すように、前記第３文字セットに属するアルファベットは前記キーに対して一対一で割り当てられる。
【００６１】
ユーザーは図１６〜図１８に示したキー選択装置１００のキー配列を介して小文字アルファベットを入力することができ、前記キー処理装置２００は前記入力されたアルファベットを処理し、前記表示部上に表示する。
【００６２】
上記のように、前記第１、第２及び第３文字セットは、好ましくは、英語アルファベットの使用頻度基づいて分けられる。従って、前記第１文字セットに属するアルファベットは、使用頻度が最も高い「a」、「e」、「h」、「i」、「n」、「o」、「r」、「s」、及び「t」である。前記第２文字セットに属するアルファベットは、「c」、「d」、「f」、「g」、「l」、「m」、「p」、「u」、及び「w」である。前記第３文字セットに属するアルファベットは、「b」、「j」、「k」、「q」、「v」、「x」、「y」、及び「z」である。これらアルファベットは、好ましくは、図４に示したアルファベット配列に配列される。
【００６３】
図１６〜図１８で前記[shift]キーが入力されると、図１９〜図２１に示すように、前記キー処理装置２００は前記[shift]キーをトグルし、小文字を大文字に変換する。これは、前記キーボード上で前記「Shift（シフト）」キーと英語のアルファベットキーとがともに押される場合、または「CapsLock（キャップスロックキー）」がオン状態で英語のアルファベットキーが押される場合と同様である。つまり、前記[shift]キーが有効にされた状態で、英語のアルファベットキーが押されると、大文字は前記表示部上に表示される。
【００６４】
よって、ユーザーは図１９〜図２１に示したキー選択装置１００のキー配列上で大文字アルファベットを入力することができ、前記キー処理装置２００は前記入力されたアルファベットを処理し、前記表示部上に表示する。
【００６５】
前記[shift]キーに加えて、英語のアルファベットは、[ctrl]キー、[alt]キー及び[windows]キーなどの他の「Combination（組み合わせ）」キーとの組み合わせで入力することもできる。例えば、前記[windows]キーが有効にされ、アルファベット「e」が入力されると、前記キー処理装置２００は、コンピュータキーボード上で前記「Window（ウィンドウ）」キーとアルファベット「e」キーとが押されるときのように前記「Explorer window（エクスプローラウィンドウ）」をロードする。
【００６６】
別の例では、図１０に示した[ewq]キーが入力されると、前記キー処理装置２００は図４に示した英語のアルファベット配列を割り当てるので、前記キーに割り当てられたアルファベットの１つを入力できるようになる。実例としては、コンピュータが３ボタンマウスで使用されると、各キーの第１アルファベットは前記マウスを左クリックすることによって入力され、第２アルファベットは前記マウスの中ボタンをクリックすることによって入力され、さらに第３アルファベットは前記マウスを右クリックすることによって入力される。
【００６７】
より好ましくは、図１０に示した[ewq]キーが入力されると、前記キー処理装置２００はアルファベットを、前記キー選択装置１００の限られた数のキーの中で３ｘ３キー配列の９キーに割り当てる。この場合、コンピュータキーボード上のアルファベットは、左手で入力されるアルファベットからなる第１グループと、右手で入力されるアルファベットからなる第２グループと、に分けられる。前記第１グループに属するアルファベットは前記３ｘ３配列の左列または中央列上に配設され、前記第２グループに属するアルファベットは右列または中央列上に配設される。前記第１、第２及び第３文字セットに属するアルファベットは、各アルファベットの使用頻度に基づいて分けられ、１つずつ割り当てられる。
【００６８】
かくして配設されたアルファベットのキー配列は、図４の配列と同じである。これにより、文字を効率的に入力することができる。
【００６９】
図４に示すように、前記キーボードモードでアルファベットが割り当てられると、図４または図６に示すように、前記[shift]キーをトグルすることによって、小文字または大文字を入力できるようになる。
【００７０】
図２２〜図２７は数字、記号及びキーボードの他のキーの割り当てを図示するものである。
【００７１】
図１０、図１２、図１４、及び図１６〜図２１に示した数字キーや[num
etc]キーなどの他のキーが入力されると、図２２に示すように、前記キー処理装置２００は、数字と記号との両方を有するキーを割り当てる。前記記号は、前記[shift]キーが有効にされると入力することができる。従って、前記[shift]キーが有効にされていないと、図２２に示すように、数字「０」〜「９」は太字表示されて、それらの数字を入力できることを示す。前記[shift]キーが有効にされると、前記記号は太字表示されて、前記記号を入力できることを示す。
【００７２】
よって、ユーザーは、キーボードと同じような同一キーを用いて前記数字と記号を入力でき、前記キー処理装置２００は前記入力された数字または記号を処理し、前記表示部上に出力する。
【００７３】
図２２で前記[num etc]キーが入力されると、図２３に示すように、前記キー処理装置２００は前記記号キーとコンピュータキーボードの他のキーを割り当てる。２つの記号を持つキーは、前記[shift]キーをトグルすることによって有効にされるので、それらの１つを入力できるようになる。つまり、図２３に示すように、前記[shift]キーが有効にされていないと、前記キー処理装置２００は下部の記号を有効にするが、図２６に示すように、前記[shift]キーが有効にされると、前記キー処理装置２００は上部の記号を有効にする。
【００７４】
よって、ユーザーは、図２３と図２６に示したキー配列を介して、割り当てられた記号キーならびに画面印刷[print screen]キー、スクロールロック[scroll lock]キー、一時停止[pause break]キー、タブ[tab]キー、及びエスケープ[esc]キーを入力することができる。前記[shift]キーに加えて、[ctrl]キー、[alt]キー及び[windows]キーなどのその他の「Combination（組み合わせ）」キーを有効にして、キーを入力することもできる。
【００７５】
図２３で前記[num etc]キーが入力されると、図２４に示すように、前記キー処理装置２００は前記記号キーとコンピュータキーボードの他のキーを割り当てる。上記のように、２つの記号を持つキーは、前記[shift]キーをトグルすることによって有効にされるので、それらの１つを入力できるようになる。つまり、図２４に示すように、前記[shift]キーが有効にされていないと、前記キー処理装置２００は下部の記号を有効にするが、図２７に示すように、前記[shift]キーが有効にされると、前記キー処理装置２００は上部の記号を有効にする。
【００７６】
よって、ユーザーは、図２４と図２７で示したキー配列を介して割り当てられた記号キーならびに前記「Backspace（バックスペース）」キーと前記「Enter（入力）」キーを入力することができる。前記[shift]キーに加えて、[ctrl]キー、[alt]キー及び[windows]キーなどのその他の「Combination（組み合わせ）」キーを有効にして、キーを入力することもできる。
【００７７】
図２４で前記[num etc]キーが入力されると、図２２に示すように、前記キー処理装置２００は前記キー選択装置１００のキーを割り当てる。つまり、前記[num etc]キーが入力されるたびに、前記キー割り当ては図２２、図２３及び図２４の順序で変更される。前記キー割り当ては、前記[shift]キーをトグルすることによって、図２５、図２６及び図２７の順序で変更することも可能である。
【００７８】
前記[num etc]キーは、数字用の[num]キーとその他用の[etc]キーとに分離することも可能である。この場合、前記キー処理装置２００は、前記[num]キーが入力されると、図２２に示すように、数字を前記キーに割り当て、前記[etc]キーが入力されると、図２３または図２４に示すように、記号キーと他のキーを割り当てる。前記キー処理装置２００は、前記[etc]キーが入力されるたびに、図２３と図２４に示すように、前記キーを交互に割り当てることも可能である。
【００７９】
図２８〜図３０は、それぞれ図２２〜図２４に関連するコンピュータキーボードを図示するものである。
【００８０】
図２２〜図２４で割り当てられた数字キー、記号キー、及びコンピュータキーボードの他のキーは、図２８〜図３０で太線表示されているキーである。
【００８１】
以下、補足機能の支援方法を説明する。
【００８２】
図３１は割り当てられたシステムキーを図示するものである。
【００８３】
図１０に示したシステム[system]キーが入力されると、図３１に示すように、前記キー処理装置２００は、オーディオキー、画面キー、ネットワークキー及び電源キーなどのシステム関連キーを割り当てる。
【００８４】
図３２は割り当てられたオーディオ関連キーを図示するものである。
【００８５】
図３１で前記オーディオ[audio]キーが入力されると、図３２に示すように、前記キー処理装置２００は、音量制御キーや電源キーなどのオーディオ関連キーを割り当てる。
【００８６】
図３３は割り当てられた画面関連キーを図示するものである。
【００８７】
図３１で前記スクリーン[screen]キーが入力されると、図３３に示すように、前記キー処理装置２００は、輝度制御キー、プロジェクター接続キー、スクリーンセーバーキー、及び電源キーなどの画面関連キーを割り当てる。
【００８８】
図３４は割り当てられたネットワーク関連キーを図示するものである。
【００８９】
図３１で前記ネットワーク[network]キーが入力されると、図３４に示すように、前記キー処理装置２００は、Ｂｌｕｅｔｏｏｔｈ（登録商標）、無線ＬＡＮ、及びネットワークグループなどのネットワーク関連キーを割り当てる。
【００９０】
図３５は割り当てられた電源関連キーを図示するものである。
【００９１】
図３１で前記電源[power]キーが入力されると、図３５に示すように、前記キー処理装置２００は、再起動、ログオフ、シャットダウン、スタンバイなどの電源関連キーを割り当てる。
【００９２】
前述のシステム関連キーは、好ましくは所与の条件に応じて有効にされるかまたは無効にされる。
【００９３】
図３６は割り当てられたユーザー定義のアプリケーションキーを図示するものである。
【００９４】
図１０で前記アプリケーション[app]キーが入力されると、図３６に示すように、前記キー処理装置２００はユーザー定義のアプリケーションキーを割り当てる。
【００９５】
図３７は割り当てられたユーザー定義のキーを図示するものである。
【００９６】
図１０で前記[custom]キーが入力されると、図３７に示すように、前記キー処理装置２００は、マクロやバッチジョブなどのユーザー定義のキーを割り当てる。
【００９７】
図１２、図１４、図１６〜図２１、図２２〜図２７、及び図３１〜図３７で前記キーボード[keybd]キーが入力されると、前記キー処理装置２００は、前記キーボードモードにおける前記キー選択装置１００のキー割り当てを図１０に示したデフォルトのキー配列に復帰させる。
【００９８】
図１２、図１４、図１６〜図２１、図２２〜図２７、及び図３１〜図３７でテキスト[text]キーが入力されると、前記キー処理装置２００はそのモードを前記キーボードモードから前記テキストモードに切り替える。この場合、前記キー処理装置２００は、そのモードを、前記キーボードモードまたは前記デフォルトのキー配列に切り替える前の、キー配列文字モードに切り替える。前記デフォルトのキー配列は図４に示したキーであっても良い。
【００９９】
前記キー選択装置１００は、前記キーを相互に区別するため、異なる色のキーを持ってもよい。例えば、青色のキーは前記キー選択装置１００の一部のキーが他キーに再割り当てされることを示し、赤色のキーは「Combination（組み合わせ）」キーを示し、及び緑色キーは実際に入力されるキーを示すなど。
【０１００】
図３８は本発明の別の例示的実施形態に係るキー選択装置を図示するものである。
【０１０１】
前記キー選択装置は、その中央３ｘ３キー配列キーと、前記３ｘ３配列キーの周囲に設けられた１１のキーと、を持つ。これはジョイスティックを反映する。つまり、ジョイスティックが外付け入力装置として用いられる際、前記ジョイスティックの第１ボタンは押されて、前記ジョイスティックが中央に位置決めされた状態で２ｘ２キーを入力する。図示していないが、キーは前記２ｘ２キーに対してマッピングされる。さらに、前記ジョイスティックが８方向の１つの方向を指している状態で、前記第１ボタンが状態で押されると、前記残りの１１のキーを入力することができる。前記ジョイスティックの第２ボタンが押されると、前記３ｘ３キーに対して一対一となるように前記３ｘ３キーを囲むキーを入力することができる。
【０１０２】
本発明の実施形態に係る前述の方法は、ＣＤ−ＲＯＭ、ＲＡＭ、ＲＯＭ、フロッピー（登録商標）ディスク、ハードディスク、または磁気光学ディスクなどの任意の形態の記録媒体、または実行可能プログラムに体系化されたコンピュータコードなどの任意のコンピュータに読み込み可能な形態に格納してもよい。本発明の例示的実施形態の格納方法の説明は、当技術分野で公知であるので省略する。
【０１０３】
当業者であれば本発明の趣旨または範囲から逸脱することなく本発明の種々変更形態及び変更を行い得ることは明らかであろう。よって、特許請求の範囲及びその同等物の範囲から逸脱することがない限り、本発明には本発明の変更形態及び改造形態が含まれることを意図するものである。
【産業上の利用可能性】
【０１０４】
本発明は、限られた数のキーで、可能な限り多くの文字を入力するための方法と装置に効果的に適用することができる。
【図面の簡単な説明】
【０１０５】
本発明の理解をさらに深めるために提供され、本明細書の一部をなす添付図面は、本発明の実施形態を例示し、その説明と共に本発明の原理を説明する役割を果たすものである。
【図１】図１は、本発明の例示的実施形態に係るキーボード文字入力装置のブロック図である。
【図２】図２は本発明の例示的実施形態に係るキーボード文字入力装置を図示するものである。
【図３】図３は、本発明の別の例示的実施形態に係るキーボード文字入力方法のフローチャートである。
【図４】図４は本発明の例示的実施形態に係るキー配列（６行ｘ３列）を装備するキー選択装置を図示するものである。
【図５】図５はテキストモードにおける文字モード変更を図示するものである。
【図６】図６はテキストモードにおける文字モード変更を図示するものである。
【図７】図７はテキストモードにおける文字モード変更を図示するものである。
【図８】図８はテキストモードにおける文字モード変更を図示するものである。
【図９】図９はテキストモードで割り当てられた記号キーを図示するものである。
【図１０】図１０はテキストモードがキーボードモードに変更される際に割り当てられるキーを図示するものである。
【図１１】図１１は図１０に関連するキーボードを図示するものである。
【図１２】図１２はキーボードの割り当てられた機能キーを図示するものである。
【図１３】図１３は図１２に関連するキーボードを図示するものである。
【図１４】図１４はキーボードの割り当てられた移動キーを図示するものである。
【図１５】図１５は図１４に関連するキーボードを図示するものである。
【図１６】図１６はキーボードの文字キーの割り当てを図示するものである。
【図１７】図１７はキーボードの文字キーの割り当てを図示するものである。
【図１８】図１８はキーボードの文字キーの割り当てを図示するものである。
【図１９】図１９はキーボードの文字キーの割り当てを図示するものである。
【図２０】図２０はキーボードの文字キーの割り当てを図示するものである。
【図２１】図２１はキーボードの文字キーの割り当てを図示するものである。
【図２２】図２２は、キーボードの数字キー、記号キー、及び残りのキーの割り当てを図示するものである。
【図２３】図２３は、キーボードの数字キー、記号キー、及び残りのキーの割り当てを図示するものである。
【図２４】図２４は、キーボードの数字キー、記号キー、及び残りのキーの割り当てを図示するものである。
【図２５】図２５は、キーボードの数字キー、記号キー、及び残りのキーの割り当てを図示するものである。
【図２６】図２６は、キーボードの数字キー、記号キー、及び残りのキーの割り当てを図示するものである。
【図２７】図２７は、キーボードの数字キー、記号キー、及び残りのキーの割り当てを図示するものである。
【図２８】図２８はそれぞれ図２２〜図２４に関連するキーボードを図示するものである。
【図２９】図２９はそれぞれ図２２〜図２４に関連するキーボードを図示するものである。
【図３０】図３０はそれぞれ図２２〜図２４に関連するキーボードを図示するものである。
【図３１】図３１は割り当てられたシステムキーを図示するものである。
【図３２】図３２は割り当てられたオーディオ関連キーを図示するものである。
【図３３】図３３は割り当てられた画面関連キーを図示するものである。
【図３４】図３４は割り当てられたネットワーク関連キーを図示するものである。
【図３５】図３５は割り当てられた電源関連キーを図示するものである。
【図３６】図３６は割り当てられたユーザー定義のアプリケーションキーを図示するものである。
【図３７】図３７は割り当てられたユーザー定義のキーを図示するものである。
【図３８】図３８は本発明の別の例示的実施形態に係るキー選択装置を図示するものである。
【図１】
2009532799.tif 000003
【図２】
2009532799.tif 000004
【図３】
2009532799.tif 000005
【図４】
2009532799.tif 000006
【図５】
2009532799.tif 000007
【図６】
2009532799.tif 000008
【図７】
2009532799.tif 000009
【図８】
2009532799.tif 000010
【図９】
2009532799.tif 000011
【図１０】
2009532799.tif 000012
【図１１】
2009532799.tif 000013
【図１２】
2009532799.tif 000014
【図１３】
2009532799.tif 000015
【図１４】
2009532799.tif 000016
【図１５】
2009532799.tif 000017
【図１６】
2009532799.tif 000018
【図１７】
2009532799.tif 000019
【図１８】
2009532799.tif 000020
【図１９】
2009532799.tif 000021
【図２０】
2009532799.tif 000022
【図２１】
2009532799.tif 000023
【図２２】
2009532799.tif 000024
【図２３】
2009532799.tif 000025
【図２４】
2009532799.tif 000026
【図２５】
2009532799.tif 000027
【図２６】
2009532799.tif 000028
【図２７】
2009532799.tif 000029
【図２８】
2009532799.tif 000030
【図２９】
2009532799.tif 000031
【図３０】
2009532799.tif 000032
【図３１】
2009532799.tif 000033
【図３２】
2009532799.tif 000034
【図３３】
2009532799.tif 000035
【図３４】
2009532799.tif 000036
【図３５】
2009532799.tif 000037
【図３６】
2009532799.tif 000038
【図３７】
2009532799.tif 000039
【図３８】
2009532799.tif 000040
【国際調査報告】
2009532799.tif 000041
2009532799.tif 000042